【手続補正書】
【提出日】平成16年12月13日(2004.12.13)
【手続補正１】
【補正対象書類名】明細書
【補正対象項目名】特許請求の範囲
【補正方法】変更
【補正の内容】
【特許請求の範囲】
【請求項１】
音声情報の入力をクライアント側で行い、音声認識をサーバ側で行う音声処理システムであって、
前記クライアントは、
音声情報を圧縮符号化する符号化手段と、
圧縮符号化された音声情報を伝送する伝送手段とを備え、
前記サーバは、
圧縮符号化された音声情報を受信する受信手段と、
前記受信手段で受信した圧縮符号化された音声情報を用いて、音響モデルの状態の出力確率を、第一の尤度として計算する第一計算手段と、
前記第一尤度を用いて、音響モデルの状態を選択する選択手段と、
前記圧縮符号化された音声情報を復号化する復号化手段と、
前記復号化された音声情報を用いて前記選択手段で選択された音響モデルの状態の出力確率を、第二の尤度として計算する第二計算手段と、
前記第二計算手段で計算された音響モデルの状態の第二の尤度を用いて音声認識を行う認識手段と
を備えたことを特徴とする音声処理システム。
【請求項２】
前記選択手段は、前記第一尤度のみを用いて、音響モデルの状態を選択することを特徴とする請求項１記載の音声処理システム。
【請求項３】
圧縮符号化された音声情報を受信する受信手段と、
前記受信手段で受信した圧縮符号化された音声情報を用いて、音響モデルの状態の出力確率を、第一の尤度として計算する第一計算手段と、
前記第一尤度を用いて、音響モデルの状態を選択する選択手段と、
前記圧縮符号化された音声情報を復号化する復号化手段と、
前記復号化された音声情報を用いて前記選択手段で選択された音響モデルの状態の出力確率を、第二の尤度として計算する第二計算手段と、
前記第二計算手段で計算された音響モデルの状態の第二の尤度を用いて音声認識を行う認識手段とを備えたことを特徴とする音声処理装置。
【請求項４】
前記選択手段は、前記第一尤度のみを用いて、音響モデルの状態を選択することを特徴とする請求項３記載の音声処理装置。
【請求項５】
前記受信手段は、圧縮符号化された音声情報として圧縮符号化された音声特徴パラメータを受信することを特徴とする請求項３記載の音声処理装置。
【請求項６】
前記受信手段は、スカラ量子化された特徴パラメータを受信することを特徴とする請求項５に記載の音声処理装置。
【請求項７】
前記特徴パラメータは、静的な特徴パラメータと動的な特徴パラメータとからなることを特徴とする請求項５に記載の音声処理装置。
【請求項８】
前記特徴パラメータは、静的な特徴パラメータからなることを特徴とする請求項５に記載の音声処理装置。
【請求項９】
音声情報の入力をクライアント側で行い、音声認識をサーバ側で行う音声処理方法であって、
前記クライアントは、
音声情報を圧縮符号化する符号化工程と、
圧縮符号化された音声情報を伝送する伝送工程とを備え、
前記サーバは、
圧縮符号化された音声情報を受信する受信工程と、
前記受信工程で受信した圧縮符号化された音声情報を用いて、音響モデルの状態の出力確率を、第一の尤度として計算する第一計算工程と、
前記第一尤度を用いて、音響モデルの状態を選択する選択工程と、
前記圧縮符号化された音声情報を復号化する復号化工程と、
前記復号化された音声情報を用いて前記選択工程で選択された音響モデルの状態の出力確率を、第二の尤度として計算する第二計算工程と、
前記第二計算工程で計算された音響モデルの状態の第二の尤度を用いて音声認識を行う認識工程と
を備えたことを特徴とする音声処理方法。
【請求項１０】
前記選択工程は、前記第一尤度のみを用いて、音響モデルの状態を選択することを特徴とする請求項９記載の音声処理方法。
【請求項１１】
圧縮符号化された音声情報を受信する受信工程と、
前記受信工程で受信した圧縮符号化された音声情報を用いて、音響モデルの状態の出力確率を、第一の尤度として計算する第一計算工程と、
前記第一尤度を用いて、音響モデルの状態を選択する選択工程と、
前記圧縮符号化された音声情報を復号化する復号化工程と、
前記復号化された音声情報を用いて前記選択工程で選択された音響モデルの状態の出力確率を、第二の尤度として計算する第二計算工程と、
前記第二計算工程で計算された音響モデルの状態の第二の尤度を用いて音声認識を行う認識工程と
を備えたことを特徴とする音声処理方法。
【請求項１２】
前記選択工程は、前記第一尤度のみを用いて、音響モデルの状態を選択することを特徴とする請求項１１記載の音声処理方法。
【請求項１３】
前記受信工程は、圧縮符号化された音声情報として圧縮符号化された音声特徴パラメータを受信することを特徴とする請求項１２記載の音声処理方法。
【請求項１４】
前記受信工程は、スカラ量子化された特徴パラメータを受信することを特徴とする請求項１３に記載の音声処理方法。
【請求項１５】
前記特徴パラメータは、静的な特徴パラメータと動的な特徴パラメータとからなることを特徴とする請求項１３に記載の音声処理方法。
【請求項１６】
前記特徴パラメータは、静的な特徴パラメータからなることを特徴とする請求項１３に記載の音声処理方法。
【請求項１７】
請求項９乃至１６のいずれか１つに記載の方法をコンピュータに実現させるための制御プログラムを格納する記憶媒体。
【手続補正２】
【補正対象書類名】明細書
【補正対象項目名】０００６
【補正方法】変更
【補正の内容】
【０００６】
【課題を解決するための手段】
かかる課題を解決するため、本発明の音声処理システムは例えば以下の構成を備えることを特徴とする。すなわち、
音声情報の入力をクライアント側で行い、音声認識をサーバ側で行う音声処理システムであって、
前記クライアントは、
音声情報を圧縮符号化する符号化手段と、
圧縮符号化された音声情報を伝送する伝送手段とを備え、
前記サーバは、
圧縮符号化された音声情報を受信する受信手段と、
前記受信手段で受信した圧縮符号化された音声情報を用いて、音響モデルの状態の出力確率を、第一の尤度として計算する第一計算手段と、
前記第一尤度を用いて、音響モデルの状態を選択する選択手段と、
前記圧縮符号化された音声情報を復号化する復号化手段と、
前記復号化された音声情報を用いて前記選択手段で選択された音響モデルの状態の出力確率を、第二の尤度として計算する第二計算手段と、
前記第二計算手段で計算された音響モデルの状態の第二の尤度を用いて音声認識を行う認識手段とを備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本発明の音声処理装置は例えば以下の構成を備えることを特徴とする。すなわち、
圧縮符号化された音声情報を受信する受信手段と、
前記受信手段で受信した圧縮符号化された音声情報を用いて、音響モデルの状態の出力確率を、第一の尤度として計算する第一計算手段と、
前記第一尤度を用いて、音響モデルの状態を選択する選択手段と、
前記圧縮符号化された音声情報を復号化する復号化手段と、
前記復号化された音声情報を用いて前記選択手段で選択された音響モデルの状態の出力確率を、第二の尤度として計算する第二計算手段と、
前記第二計算手段で計算された音響モデルの状態の第二の尤度を用いて音声認識を行う認識手段とを備えたことを特徴とする。
【手続補正５】
【補正対象書類名】明細書
【補正対象項目名】０００９
【補正方法】変更
【補正の内容】
【０００９】
また、本発明の音声処理方法は例えば以下の構成を備えることを特徴とする。すなわち、
音声情報の入力をクライアント側で行い、音声認識をサーバ側で行う音声処理方法であって、
前記クライアントは、
音声情報を圧縮符号化する符号化工程と、
圧縮符号化された音声情報を伝送する伝送工程とを備え、
前記サーバは、
圧縮符号化された音声情報を受信する受信工程と、
前記受信工程で受信した圧縮符号化された音声情報を用いて、音響モデルの状態の出力確率を、第一の尤度として計算する第一計算工程と、
前記第一尤度を用いて、音響モデルの状態を選択する選択工程と、
前記圧縮符号化された音声情報を復号化する復号化工程と、
前記復号化された音声情報を用いて前記選択工程で選択された音響モデルの状態の出力確率を、第二の尤度として計算する第二計算工程と、
前記第二計算工程で計算された音響モデルの状態の第二の尤度を用いて音声認識を行う認識工程とを備えたことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、本発明の音声処理方法は例えば以下の構成を備えることを特徴とする。すなわち、
圧縮符号化された音声情報を受信する受信工程と、
前記受信工程で受信した圧縮符号化された音声情報を用いて、音響モデルの状態の出力確率を、第一の尤度として計算する第一計算工程と、
前記第一尤度を用いて、音響モデルの状態を選択する選択工程と、
前記圧縮符号化された音声情報を復号化する復号化工程と、
前記復号化された音声情報を用いて前記選択工程で選択された音響モデルの状態の出力確率を、第二の尤度として計算する第二計算工程と、
前記第二計算工程で計算された音響モデルの状態の第二の尤度を用いて音声認識を行う認識工程とを備えたことを特徴とする。
【手続補正８】
【補正対象書類名】明細書
【補正対象項目名】００１２
【補正方法】変更
【補正の内容】
【００１２】
また、本発明は上記音声処理方法をコンピュータに実現させるための制御プログラムを格納することを特徴とする。